【事件の表示】
　平成　９年特許願第　８４２２５号「色修正装置、色修正方法、および、色修正プログラムを記録した記録媒体」拒絶査定不服審判事件〔平成１０年１０月２３日出願公開、特開平１０−２８５４１５〕について、次のとおり審決する。
【結　論】
　本件審判の請求は、成り立たない。
【理　由】
 第１　手続の経緯 
 　本願は、平成９年４月２日の出願であって、平成１６年９月１６日付けで拒絶理由通知がなされ、同年１１月２９日付けで手続補正がなされたが、平成１７年６月１６日付けで拒絶の査定がなされたため、これを不服として同年７月２２日付けで本件審判請求がされるとともに、同年８月１１日付けで明細書についての手続補正がされたものである。 
 　当審においてこれを審理した結果、平成２０年１月２８日付けで、平成１７年８月１１日付け手続補正を補正却下するとともに、同日付けで拒絶の理由を通知したところ、審判請求人は同年３月２８日付けで意見書及び明細書についての手続補正書を提出した。 
 　 
 第２　本件審判請求についての当審の判断
　１．本願発明の認定 
 　本願の請求項１〜４に係る発明は、平成２０年３月２８日付け手続補正により補正された明細書の特許請求の範囲の請求項１〜４に記載された事項によって特定されるものと認めることができ、そのうちの請求項１に係る発明は、同請求項１に記載された事項によって特定される以下のとおりのものである。 
 　 
 【請求項１】
「カラー画像を複数の要素色ごとに色分解するとともに強弱を表した色画像データに基づいて各要素色ごとに印字ヘッドからインクを吐出させることによりカラー画像を出力する画像出力装置のための色修正装置であって、
　複数のインクのインク重量のバランスのずれの量をそれぞれ変化させて印刷される複数の灰色パッチ、および、黒色インクのみで印刷されるリファレンスパッチを含むテストパターンを印刷する印刷手段と、
　上記テストパターンにおける複数の上記灰色パッチのなかから無彩色の上記灰色パッチの選択を受け付ける選択手段と、
　この選択手段にて選択された上記灰色パッチに基づいて、インク重量の入出力関係を異ならせた複数の色修正ルックアップテーブルのなかから色修正に使用する上記色修正ルックアップテーブルを選択する色修正手段とを具備することを特徴とする色修正装置。」（以下、「本願発明」という。） 
 　 
　２．引用例 
　当審の拒絶の理由に引用された特開平２−１６７７５５号公報（以下、「引用例１」という。）には、以下の記載が図示とともにある。 
 　 
ａ．「しかしながら、かかる記録装置では例えば記録ヘッドのロットの違いによるインク吐出口の口径のばらつきでインク吐出量が変化し、入力画像濃度信号レベルと出力画像濃度の関係も例えば、第１２図に示す曲線３１Ａ、３１Ｂ、３１Ｃのようにばらつきがあった。・・・したがって、かかる記録ヘッドにて印字した場合、例えば階調再現性の悪化や特にカラープリンタの場合にはカラーバランスがくずれる原因となったりすることがなくはない。」（第１頁右下欄第７行〜第２頁左上欄第５行）
ｂ．「インクジェット記録装置において、記録ヘッドに吐出状態の情報をもたせ、装置本体にこの記録ヘッドを脱着可能とするとともに、該情報を本体側で読み出し、読み出した情報に基づき、画像処理部にもたせた複数のγ補正テーブルの選択などによりヘッド間のカラーバランスを制御することで、常に良好な画像を出力する様にした装置が開示される」（第２頁右上欄第１０行〜第１７行）
ｃ．「第８図はかかる実施例の装置としてのシリアルプリント型式のカラーインクジェット記録装置の要部構成を示す斜視図である。イエローＹの色インクを吐出する記録ヘッド１Ａ、マゼンタＭの色インクを吐出する記録ヘッド１Ｂ、シアンＣの色インクを吐出する記録ヘッド１Ｃ，およびブラックの色インクを吐出する記録ヘッド１Ｄをキヤリッジ２２上に第９図に示す様に距離Ｄずつ離して設定してある。」（第２頁左下欄第６行〜第１４行）
ｄ．「２Ａ，２Ｂ，２ＣはイエローＹ、マゼンタＭ、シアンＣの画像濃度信号、３Ａ，３Ｂ，３Ｃ，３Ｄは色処理部６により補正されたイエローＹ、マゼンタＭ、シアンＣ，ブラックＫの画像濃度信号、４Ａ，４Ｂ，４Ｃ，４Ｄはガンマ補正回路Ａ　７Ａ，７Ｂ，７Ｃ，７Ｄにより補正されたイエロ−Ｙ，マゼンタＭ，シアンＣ，ブラックＫの画像濃度信号、５Ａ，５Ｂ，５Ｃ，５Ｄはガンマ補正回路Ｂ　８Ａ，８Ｂ，８Ｃ，８Ｄにより補正されたイエロ−Ｙ，マゼンタＭ，シアンＣ，ブラックＫの画像濃度信号である。」（第２頁右下欄第９行〜第１９行）
ｅ．「ところで、特にインクジェット記録装置においては、記録紙中へのインクの吸収特性、にじみの影響により、入力画像濃度信号レベルと出力された画像の画像濃度との関係は第１０図の曲線２９Ａのように高濃度部分で飽和する非線形な特性を示す。
　したがって、第１０図の被線で示した直線２９Ｂに示すように、入力画像濃度信号レベルと出力画像濃度が線形関係となるように、第１１図に示す入力画像濃度信号レベルと出力画像濃度信号レベルの関係をもつ補正テーブルを用いてガンマ補正回路２８でガンマ補正を行うことが必要となる。
　このため、ガンマ補正回路Ａ　７Ａ，７Ｂ，７Ｃ，７Ｄは設けられているが、特に本実施例におけるガンマ補正回路Ａ　７Ａ，７Ｂ，７Ｃ，７Ｄはたとえば第１４図に示すようなテーブルを複数もつことができる。ガンマ補正回路Ａ　７Ａ，７Ｂ，７Ｃ，７Ｄはそれぞれ独立にテーブルを設定することができ、取りつけた記録ヘッド１Ａ，１Ｂ、１Ｃ、１Ｄの吐出特性に応じてテーブルを切り換えることにより、入力画像濃度信号と出力画像濃度の関係を線形に保つことができる。」（第３頁左上欄第１５行〜右上欄第１６行）
ｆ．「しかし、第１５図に示すようなヘッド毎の吐出特性の違いによる出力画像濃度のばらつきの補正ができない。そこで、常に製造時における下限の吐出特性を示す記録ヘッドと出力画像濃度が合うようにガンマ補正回路Ｂ　８Ａ，８Ｂ，８Ｃ，８Ｄで補正を行う。ガンマ補正回路Ｂ　８Ａ，８Ｂ，８Ｃ，８Ｄはたとえば第２図に示すようなテーブルを複数もつことができる。ガンマ補正回路Ｂ　８Ａ，８Ｂ，８Ｃ，８Ｄは取りつけた記録ヘッド１Ａ，１Ｂ，１Ｃ，１Ｄの吐出特性に応じて独立にテーブルを切り換えることができる。・・・この切り換えにより記録ヘッド間での出力画像濃度のばらつきはなくなる。」（第３頁右上欄第１６行〜左下欄第１８行）
ｇ．「第１２図の曲線３１Ａの吐出特性をもつ記録ヘッドではガンマ補正回路Ａでは第１４図（Ａ）に示す特性のテーブル、ガンマ補正回路Ｂでは第２図（Ａ）に示す特性のテーブルに切り換える。また第１２図の曲線３１Ｂの吐出特性をもつ記録ヘッドではガンマ補正回路Ａでは第１４図（Ｂ）のテーブル、ガンマ補正回路Ｂでは第２図（Ｂ）のテーブルを、第１２図の曲線３１Ｃの吐出特性をもつ記録ヘッドではガンマ補正回路Ａでは第１４図（Ｃ）のテーブル、ガンマ補正回路Ｂでは第２図（Ｃ）のテーブルに切り換える。」（第３頁右下欄第３行〜第１３行）
ｈ．「ガンマ補正回路Ａおよびガンマ補正回路Ｂを用いることにより記録ヘッドの吐出特性のばらつきにより、出力画像のカラーバランスがくずれることを防ぐことができる。」（第３頁右下欄第１８行〜第４頁左上欄第１行）
　記載ｄ、及び第１図より、色処理部（マスキング・ＵＣＲ・黒生成）６が、イエローＹの画像濃度信号２Ａ、マゼンタＭの画像濃度信号２Ｂ、シアンＣの画像濃度信号２Ｃを入力して、イエローＹの画像濃度信号３Ａ、マゼンタＭの画像濃度信号３Ｂ、シアンＣの画像濃度信号３Ｃ、ブラックＫの画像濃度信号３Ｄを出力していることが理解できる。
　記載ａには、「かかる記録ヘッドにて印字した場合」と記載されており、「記録ヘッド」を「印字ヘッド」と称することに差し支えはない。
　記載ａの「インク吐出口の口径のばらつきでインク吐出量が変化し、入力画像濃度信号レベルと出力画像濃度の関係も例えば、第１２図に示す曲線３１Ａ、３１Ｂ、３１Ｃのようにばらつきがあった」と、記載ｇの「ガンマ補正回路Ｂ　８Ａ，８Ｂ，８Ｃ，８Ｄは取りつけた記録ヘッド１Ａ，１Ｂ，１Ｃ，１Ｄの吐出特性に応じて独立にテーブルを切り換えることができる。・・・この切り換えにより記録ヘッド間での出力画像濃度のばらつきはなくなる。」との記載より、ガンマ補正回路Ｂが各色インクを吐出する印字ヘッド間でのインク吐出量のばらつきを補正する回路であることが理解できる。
　
　したがって、前記記載ａ〜ｈ及び図面を含む引用例１全体の記載から、引用例１には、以下の発明が記載されていると認めることができる。
「色処理部（マスキング・ＵＣＲ・黒生成）６が、イエローＹの画像濃度信号２Ａ、マゼンタＭの画像濃度信号２Ｂ、シアンＣの画像濃度信号２Ｃを入力して、イエローＹの画像濃度信号３Ａ、マゼンタＭの画像濃度信号３Ｂ、シアンＣの画像濃度信号３Ｃ、ブラックＫの画像濃度信号３Ｄを出力するとともに、画像濃度信号に基づいて各色（イエローＹ、マゼンタＭ、シアンＣ、ブラックＫ）ごとに印字ヘッドからインクを吐出させることによりカラー画像を出力するカラーインクジェット記録装置であって、
　印字ヘッドがもつ各色印字ヘッドの吐出特性の情報に基づいて、イエローＹ、マゼンタＭ、シアンＣ、ブラックＫの各入力画像濃度信号レベルに対する出力画像濃度の関係を非線形の関係から線形の関係にするために、ガンマ補正回路ＡでイエローＹの画像濃度信号３Ａ、マゼンタＭの画像濃度信号３Ｂ、シアンＣの画像濃度信号３Ｃ、ブラックＫの画像濃度信号３ＤをイエローＹの画像濃度信号４Ａ、マゼンタＭの画像濃度信号４Ｂ、シアンＣの画像濃度信号４Ｃ、ブラックＫの画像濃度信号４Ｄに変換する補正を行うとともに、続けて同じく前記各色印字ヘッドの吐出特性の情報に基づいて、イエローＹ、マゼンタＭ、シアンＣ、ブラックＫの各色を吐出する印字ヘッド間でのインク吐出量のばらつきをなくする補正をするために、ガンマ補正回路ＢでイエローＹの画像濃度信号４Ａ、マゼンタＭの画像濃度信号４Ｂ、シアンＣの画像濃度信号４Ｃ、ブラックＫの画像濃度信号４Ｄを当該イエローＹの画像濃度信号５Ａ、マゼンタＭの画像濃度信号５Ｂ、シアンＣの画像濃度信号５Ｃ、ブラックＫの画像濃度信号５Ｄに変換する補正を行うことで、出力画像のカラーバランスがくずれるのを防止するカラーインクジェット記録装置。」（以下「引用発明」という。）
　
　当審の拒絶の理由に引用された特開平８−３１００１３号公報（以下、「引用例２」という。）には、以下の記載が図示とともにある。
ｉ．「続いて、γテーブル記憶部に記憶されるデータの作製方法について説明する。テスト印字キー１４が押されたことをＣＰＵ４が認識すると、ＣＰＵ４はＲＯＭ６内のテストプリントデータ３０を読みだし、制御部２２にデータを伝達する。その後、上述と同様に、印字ヘッド１０の駆動用の制御信号に置き換えられ、この制御信号に基づいて、テストプリントデータ３０が出力サンプルとして印字される。
　ここで印字される出力サンプルは、図１４で示されるように絶対的な濃度値が決定されている濃度領域と、濃度信号を徐々に変化させた濃度領域を並べて配置したものである。この出力サンプルを目視比較することで、同じように見える位置を判定する。同じ様に見える位置をキーボード１２を介してγ設定部２６で設定することで、所定の濃度を示す制御信号のレベルを特定できることになる。図１４のＡ部は絶対濃度Ｄ１と濃度信号がｌ０からｌ１に徐々に変化するものを並べて配置したものである。この両者を見比べて同じような濃度に見える位置Ｐ１（０≦Ｐ１≦１００）を設定することで絶対濃度Ｄ１と等しい濃度になる濃度信号Ｌ１を下式より算出できる。」（【０００９】−【００１０】）
ｊ．「図１５（ａ）はγ設定部２６により設定された階調再現特性の値を示すもので、５箇所の濃度を調べた場合の結果を示すものである。図１５（ｂ）は図示しない領域に記憶される予め設定された標準状態の階調再現特性の値を示すものである。γ修正部２４はこの現状のプリンタの階調再現特性と、標準状態の階調再現特性の差異を補正する補正値を算出するものである。この補正値の算出は以下の手順で行われる。
　まず、濃度信号を所定の間隔で抜きだしたときの個々の濃度信号値（Ｘ０〜Ｘｎ）（ｎ＞０）における標準状態の濃度（Ｙ０〜Ｙｎ）を求めておく。次に、γ設定部２６により設定された現状の階調再現特性（図１５（ａ））を直線補間する事により、各濃度値（Ｙ０〜Ｙｎ）に対する現状の濃度信号値（Ｚ０〜Ｚｎ）を算出する（図１５（ｃ）参照）。このようにして算出された値であるＺ０〜Ｚｎをγテーブル記憶部４０のアドレス番号０〜ｎの領域に記憶保存する。」（【００１２】−【００１３】）
ｋ．「これにより、プリンタの階調再現特性が変化しても、γテーブル記憶部４０に記憶される補正値を修正することにより、信号INが入力されたときに再現される絶対濃度は常に一定のものとなる。」（【００１７】）
ｌ．「【発明が解決しようとする課題】しかしながら、この手法はプリンタにより印刷された印刷サンプルを眺めることでそのプリンタの印刷特性を調べ、さらにその情報をプリンタに入力せねばならず、」（【００１９】）
　
　ここで、テストプリントデータをプリンタで印刷して得られる印刷サンプルは、図１４からみて、所定の濃度パターンを印刷したものであり、テストパターンといえる。
　よって記載ｉ〜ｌ及び図面を含む引用例２全体の記載から、引用例２には、以下の技術的事項が記載されていると認めることができる。
「プリンタで印刷して得られるテストパターン中の、所定の濃度パターンを目視してその濃度を判定し、その判定結果をプリンタに入力することで、プリンタの入力濃度信号レベルに対する出力濃度の関係を補正する点。」
　
　３．対比
　本願発明と引用発明とを対比する。
イ．引用発明の「カラーインクジェット記録装置」は、本願発明の「画像出力装置」に相当する。
ロ．引用発明の「色処理部（マスキング・ＵＣＲ・黒生成）６が、イエローＹの画像濃度信号２Ａ、マゼンタＭの画像濃度信号２Ｂ、シアンＣの画像濃度信号２Ｃを入力して、イエローＹの画像濃度信号３Ａ、マゼンタＭの画像濃度信号３Ｂ、シアンＣの画像濃度信号３Ｃ、ブラックＫの画像濃度信号３Ｄを出力する」において、色処理部（マスキング・ＵＣＲ・黒生成）６における「マスキング」が、インクの望ましくない吸収を補正することで、インクの重ね合せ時の色のにごりを修正する色処理であること、「ＵＣＲ（下色除去）」及び「黒生成」が、濃度データＣ，Ｍ，ＹとＵＣＲ量βとスミ量σから、以下の計算式
Ｃ’＝Ｃ−β×ＭＩＮ（Ｃ，Ｍ，Ｙ）
Ｍ’＝Ｍ−β×ＭＩＮ（Ｃ，Ｍ，Ｙ）
Ｙ’＝Ｙ−β×ＭＩＮ（Ｃ，Ｍ，Ｙ）
Ｋ＝σ×ＭＩＮ（Ｃ，Ｍ，Ｙ）
により、濃度データＣ’，Ｍ’，Ｙ’，Ｋを算出する色処理であることは、インクジェットの技術分野においてはよく知られたことであり、上記「ＵＣＲ（下色除去）」及び「黒生成」における計算式からみて、濃度データＣ’，Ｍ’，Ｙ’，Ｋは、Ｃ，Ｍ，Ｙの濃度データを色分解して生成されたということができる。
　また、イエローＹの画像濃度信号２Ａ、マゼンタＭの画像濃度信号２Ｂ、シアンＣの画像濃度信号２Ｃがカラー画像の濃度信号であることは明らかである。
　さらに、本願発明の「要素色」は、「各要素色ごとに印字ヘッドからインクを吐出させる」の記載から、印字ヘッドが吐出するインクの色のことであると解される。
　よって、引用発明の上記「色処理部（マスキング・ＵＣＲ・黒生成）６が、・・・出力する」は、本願発明の「カラー画像を複数の要素色ごとに色分解する」に相当する。
ハ．引用例１の第１図より、引用発明の「画像濃度信号」は、色処理部（マスキング・ＵＣＲ・黒生成）６による色処理（上記「ロ．」参照。）、ガンマ補正回路Ａ，Ｂによるテーブルを用いた補正、２値化処理部による２値化が施された後バッファ１１１に格納されるのだから、画像濃度のデータであることは明らかである。
　そうすると、引用発明のイエローＹ、マゼンタＭ、シアンＣ、ブラックＫの「画像濃度信号」は画像濃度の強弱を表した色画像データといえるから、本願発明の「強弱を表した色画像データ」に相当する。
ニ．引用発明の画像出力装置（カラーインクジェット記録装置）は、出力画像のカラーバランスがくずれるのを防止するために、イエローＹ、マゼンタＭ、シアンＣ、ブラックＫの「強弱を表した色画像データ」を補正（修正）しているのだから、色修正手段を具備する色修正装置を含んでおり、当該色修正装置が画像出力装置のための色修正を行っていることが把握される。
　さらに、具体的には、引用発明のガンマ補正回路Ａ，Ｂは、各入力画像濃度信号レベルに対する出力画像濃度の関係を修正し、さらに各印字ヘッドから吐出される各要素色のインク吐出量を調整することで出力画像のカラーバランスを修正している。
　他方、本願発明の「複数のインクのインク重量のバランスのずれの量をそれぞれ変化させて印刷される複数の灰色パッチ、および、黒色インクのみで印刷されるリファレンスパッチを含むテストパターンを印刷する印刷手段と、
　上記テストパターンにおける複数の上記灰色パッチのなかから無彩色の上記灰色パッチの選択を受け付ける選択手段と、
　この選択手段にて選択された上記灰色パッチに基づいて、インク重量の入出力関係を異ならせた複数の色修正ルックアップテーブルのなかから色修正に使用する上記色修正ルックアップテーブルを選択する色修正手段」は、本願明細書の「【発明が解決しようとする課題】上述した従来のカラー印刷装置においては、印刷ヘッドの経年変化によって色インクの吐出量に偏りが生じたような場合には対応できないという課題があった。また、各機体ごとに工場調整が必要となり、製造工程が増えて煩雑であるという課題もあった。
　本発明は、上記課題にかんがみてなされたもので、カラー印刷装置を含めた画像出力装置におけるハードウェアに依存するようなカラーバランスの偏りをハードウェアに対する直接の調整を行うことなく修正することが可能な色修正装置、色修正方法、色修正プログラムを記憶した媒体およびカラー印刷装置の提供を目的とする。」（【０００４】−【０００５】）の記載を参照するに、複数のインクのインク重量のバランスのずれの量をそれぞれ変化させて印刷される複数の灰色パッチを含むテストパターンに基づいて、インク重量の入出力関係を補正して印刷出力された画像のカラーバランスを修正するものであることが理解される。
　そうすると、引用発明と本願発明とは、「各印字ヘッドから吐出される各要素色のインク重量を調整することで印刷出力された画像のカラーバランスを修正する」色修正手段を具備する点で共通している。
　
　したがって、本願発明と引用発明とは、以下の一致点及び相違点を有する。 
 　 
 ＜一致点＞
「カラー画像を複数の要素色ごとに色分解するとともに強弱を表した色画像データに基づいて各要素色ごとに印字ヘッドからインクを吐出させることによりカラー画像を出力する画像出力装置のための色修正装置であって、
　各印字ヘッドから吐出される各要素色のインク重量を調整することで印刷出力された画像のカラーバランスを修正する色修正手段を具備する色修正装置。」 
 　 
 ＜相違点＞ 
　「各印字ヘッドから吐出される各要素色のインク重量を調整することで印刷出力された画像のカラーバランスを修正する色修正手段」が、本願発明では、「この選択手段にて選択された上記灰色パッチに基づいて、インク重量の入出力関係を異ならせた複数の色修正ルックアップテーブルのなかから色修正に使用する上記色修正ルックアップテーブルを選択する色修正手段」とされ、「複数のインクのインク重量のバランスのずれの量をそれぞれ変化させて印刷される複数の灰色パッチ、および、黒色インクのみで印刷されるリファレンスパッチを含むテストパターンを印刷する印刷手段と、
　上記テストパターンにおける複数の上記灰色パッチのなかから無彩色の上記灰色パッチの選択を受け付ける選択手段と」を具備することを前提として特定されているのに対して、引用発明ではそのような特定を有しない点。
　
　４．判断 
＜相違点＞についての判断
　引用発明の「色修正装置」の「色修正手段」は、印字ヘッドがもつ各色印字ヘッドの吐出特性の情報に基づいて、各印字ヘッドから吐出される各要素色のインク重量を調整することで印刷出力された画像のカラーバランスを修正する色修正を行っている。
　このように、印刷出力された画像のカラーバランスを修正する際に参照する前記各色印字ヘッドの吐出特性の情報としては、実際に印刷出力した結果から得られる情報であるのが最適であることは明らかであるところ、実際に印刷出力した結果から情報を得る方法としては、テストパターンから情報を得る方法が周知慣用されている。
　そうすると、引用発明は各要素色ごとに印字ヘッドからインクを吐出させることによりカラー画像を出力する画像出力装置のための色修正装置であるから、前記各色印字ヘッドの吐出特性の情報を、引用例２に記載の、実際に印字ヘッドからインクを吐出させて得られるテストパターンから得るように構成する程度のことは想到容易である。
　
　ここで、カラーバランスを修正するためのテストパターンとして、Ｙ、Ｍ、Ｃの入力濃度レベルをそれぞれ変化させて印刷される複数の灰色パッチ、を含むテストパターンを印刷し、このテストパターンにおける複数の前記灰色パッチのなかから無彩色の灰色パッチを選択し、この灰色パッチに基づいて色修正するものは周知（特開平８−９１８０号公報（【００１２】、【００１３】−【００１５】、【図５】、【図８】、【図９】、【図１０】、）、特開平７−２２２０１３号公報（【００１５】−【００１８】、【図１０】−【図１３】）、特開平４−１７０２６８号公報（第１頁左下欄、第３頁、第５図）参照。）である。
　さらに、上記特開平７−２２２０１３号公報（特に【００１５】−【００１８】、【図１０】−【図１３】参照。）には、複数の灰色パッチと同一紙面上に、黒色の記録剤で記録した黒パッチを設け、この無彩色である黒パッチを、前記複数の灰色パッチの中から無彩色の灰色パッチを選択するための比較基準とすることが記載されているが、このようにそれぞれ少しずつ異なる特性を有する複数の対象物の中から、目的の特性を有する対象物を選択するにあたり、目的の特性に関する情報を、対象物を選択するために何らかの形で提示しておくようなことは、例えば出力見本のカラーパッチを用いた印刷機の色校正等にもみられるように一般技術である。
（請求人は平成２０年３月２８日付け意見書中の、「Ｆ．引用文献６（特開平８−９１８０号公報）との対比」において、「引用文献６には、複数の灰色パッチが印刷されたテストパターンにおいて、最も中性の灰色パッチが選択されることが開示されています。しかしながら、『黒色インクのみで印刷されるリファレンスパッチを含むテストパターン』に関する開示が一切ありません。なお、引用文献６の図９，１０において示されたテストパターンにおいて、７５％ブラックと２５％ブラックなる記載がされておりますが、当該記載の付近に記された矩形が何を意味しているのかは一切開示されていません。さらに、引用文献６において開示されたプリンタまたは複写機がブラックのインクまたはトナーを使用することも一切開示されておりません。従いまして、引用文献６の図９，１０における記載が『黒色インクのみで印刷されるリファレンスパッチを含むテストパターン』を示唆するものでないことは明らかであります。」（第３頁第４２行〜第４頁第２行）と主張するが、上記特開平８−９１８０号公報の図９，図１０には、「イエローを加えよ」、「マゼンタを加えよ」、「イエロー及びマゼンタを加えよ」と、インク等の記録剤の色を指摘した記載が見られるし、当該公報に係る特許出願がされた平成７年当時には、カラー複写機やカラープリンタが、Ｙ、Ｍ、Ｃ、Ｋの４色の記録剤で記録をすることは広く知られたことであるから、「７５％ブラック」、「２５％ブラック」の記載がブラックの記録剤に関する記載であることは明らかである。
　そしてこの場合、これら記載に隣接して矩形が表示されているが、灰色パッチを示す複数の矩形の内側に色が施されていることを考慮すれば、前記矩形の内側にブラックが施されていると解するのが自然であるし、また、７５％の濃度を示す図９には「７５％ブラック」と、２５％の濃度を示す図１０には「２５％ブラック」と記載されており、「７５％ブラック」、「２５％ブラック」が、それぞれ７５％、２５％の濃度のブラックを施すことを示すと解するのが自然である。
　そうすると、上記した一般技術に鑑みれば、これらのブラックのパッチが、複数の灰色パッチの中から、無彩色の灰色パッチを選択するための比較基準となるパッチ、即ちリファレンスパッチであることは明らかである。
　よって、請求人の上記主張は採用できない。）
　
　そして、上記周知のテストパターンにおける複数の前記灰色パッチは、Ｙ、Ｍ、Ｃの入力濃度レベルをそれぞれ変化させて印刷されているところ、これらのパッチの中から無彩色に見える灰色パッチが選択された場合、この選択されたパッチから、各色の入力濃度レベルに対する出力濃度の関係、並びに各色の記録剤の出力量のばらつき、という各色の出力特性が得られるのだから、この周知のテストパターンに基づいたカラーバランスの修正が、各色の記録剤の出力量を調整することでなされることは明らかである。
　また、カラーインクジェット記録装置である引用発明においては、上記「Ｙ、Ｍ、Ｃの入力濃度レベルをそれぞれ変化させて印刷」することは、「複数のインクのインク重量のバランスのずれの量をそれぞれ変化させて印刷」することに他ならない。
　
　
　よって、引用発明の、印字ヘッドがもつ各色印字ヘッドの吐出特性の情報に基づいてなされる色修正を、テストパターンから得られる各色印字ヘッドの吐出特性の情報に基づいて行うように構成するにあたり、上記周知のテストパターンを採用して、「複数のインクのインク重量のバランスのずれの量をそれぞれ変化させて印刷される複数の灰色パッチ、および、黒色インクのみで印刷されるリファレンスパッチを含むテストパターンを印刷する印刷手段と、
　上記テストパターンにおける複数の上記灰色パッチのなかから無彩色の上記灰色パッチの選択を受け付ける選択手段と、
　この選択手段にて選択された上記灰色パッチに基づいて、各印字ヘッドから吐出される各要素色のインク重量を調整することで印刷された画像のカラーバランスを修正する色修正する色修正手段と」を設けるように構成することは設計事項である。
　
　さて、引用発明の色修正手段は、「印字ヘッドがもつ各色印字ヘッドの吐出特性の情報に基づいて、イエローＹ、マゼンタＭ、シアンＣ、ブラックＫの各入力画像濃度信号レベルに対する出力画像濃度の関係を非線形の関係から線形の関係にするために、ガンマ補正回路ＡでイエローＹの画像濃度信号３Ａ、マゼンタＭの画像濃度信号３Ｂ、シアンＣの画像濃度信号３Ｃ、ブラックＫの画像濃度信号３ＤをイエローＹの画像濃度信号４Ａ、マゼンタＭの画像濃度信号４Ｂ、シアンＣの画像濃度信号４Ｃ、ブラックＫの画像濃度信号４Ｄに変換する補正を行うとともに、続けて同じく前記各色印字ヘッドの吐出特性の情報に基づいて、イエローＹ、マゼンタＭ、シアンＣ、ブラックＫの各色を吐出する印字ヘッド間でのインク吐出量のばらつきをなくする補正をするために、ガンマ補正回路ＢでイエローＹの画像濃度信号４Ａ、マゼンタＭの画像濃度信号４Ｂ、シアンＣの画像濃度信号４Ｃ、ブラックＫの画像濃度信号４Ｄを当該イエローＹの画像濃度信号５Ａ、マゼンタＭの画像濃度信号５Ｂ、シアンＣの画像濃度信号５Ｃ、ブラックＫの画像濃度信号５Ｄに変換する補正を行う」ものであり、イエローＹ、マゼンタＭ、シアンＣ、ブラックＫの各入力画像濃度信号（３Ａ，３Ｂ，３Ｃ，３Ｄ）は、ガンマ補正回路Ａ、ガンマ補正回路Ｂと一連の補正がなされた後出力されるから、前記各入力画像信号を、前記一連の補正を１つにまとめたまとめ補正部によって補正した後出力する態様とすることができる。
　そしてこの場合、前記まとめ補正部においては、各色の入力データ（３Ａ，３Ｂ，３Ｃ，３Ｄ）が入力され、各色の出力データ（５Ａ，５Ｂ，５Ｃ，５Ｄ）が出力されることになり、これら入力データと出力データとは各色ごとに１対１に対応しているから、前記まとめ補正部を、周知・慣用されているルックアップテーブル（ちなみに、画像出力装置の濃度補正の技術分野においても、入出力データをルックアップテーブルとして利用するものが、特開平７−３１４７８７号公報（【００２９】、【００４０】、【００４２】、【００４５】、【図６】、【図７】））に記載されている。）で構成し、引用発明の色修正手段を、「選択手段にて選択された上記灰色パッチに基づいて、インク重量の入出力関係を異ならせた複数の色修正ルックアップテーブルのなかから色修正に使用する上記色修正ルックアップテーブルを選択する」ように構成する程度のことは設計事項である。
　
　よって、上記相違点に係る本願発明の発明特定事項は、引用発明及び引用例２の記載、並びに上記周知・慣用技術に基づいて当業者が想到容易である。 
 　 
　５．本願発明の進歩性の判断 
　上記のように、相違点に係る本願発明の発明特定事項は引用発明及び引用例２の記載、並びに周知・慣用技術に基づいて当業者が想到容易な事項であって、それぞれのもつ作用効果も、引用発明及び引用例２の記載、並びに周知・慣用技術に基づいて、当業者が予測し得る程度のことであり、かつ各発明特定事項が組み合わせられることによって当業者が予測し得ないような格別の作用効果を奏するとも認められない。 
 　 
　したがって、本願発明は、引用発明及び引用例２の記載、並びに周知・慣用技術に基づいて、当業者が容易に発明をすることができたものであり、当審で通知した上記拒絶の理由のとおり、特許法第２９条第２項の規定により特許を受けることができない。 
 　 
 第３　むすび 
 　以上のとおり、本願発明は、当審で通知した上記拒絶の理由によって拒絶すべきものである。 
 　したがって、本願出願のその余の請求項に係る発明について検討するまでもなく、本願は拒絶を免れない。 
 　よって、結論のとおり審決する。